(57)【要約】【課題】安価な費用で大容量の映像を記録することができるテレビドアホン装置を提供すること。【解決手段】少なくとも１つのドアホン子機１１００と、ドアホン子機１１００に接続されたドアホン親機１２００とを備え、ドアホン子機１１００が、撮像して得られた子機映像信号をドアホン親機１２００に送出し、ドアホン親機１２００が、ドアホン子機１１００によって送出された子機映像信号を受信する映像信号受信手段１２１０と、受信された映像信号を外部に設置された記録装置１００に出力する映像信号出力手段１２１５と、出力された映像信号に基づいた記録装置１００による記録を開始させる赤外リモコン信号および記録を停止させる赤外リモコン信号を記録装置１００に送信する赤外リモコン送信手段１２５０と、赤外リモコン送信手段１２５０による赤外リモコン信号の送信のタイミングを制御する制御手段１２６０とを有している。【選択図】  図１
2004274205.tif 000002
【特許請求の範囲】
【請求項１】
少なくとも１つのドアホン子機と、前記ドアホン子機に接続されたドアホン親機とを備え、前記ドアホン子機が、撮像して子機映像信号を生成する子機撮像手段と、前記子機映像信号を前記ドアホン親機に送出する子機映像信号送出手段とを有し、前記ドアホン親機が、前記ドアホン子機によって送出された前記子機映像信号を受信する映像信号受信手段と、前記映像信号受信手段によって受信された映像信号を外部に設置された記録装置に出力する映像信号出力手段と、前記映像信号出力手段によって出力された映像信号に基づいた前記記録装置による記録を開始させる赤外リモコン信号および前記記録を停止させる赤外リモコン信号を前記記録装置に送信する赤外リモコン送信手段と、前記赤外リモコン送信手段による赤外リモコン信号の送信のタイミングを制御する制御手段とを有したことを特徴とするテレビドアホン装置。
【請求項２】
前記ドアホン子機が、集音して子機音声信号を生成する子機音声信号生成手段と、前記子機音声信号を前記ドアホン親機に送出する子機音声信号送出手段とを有し、前記ドアホン親機が、前記ドアホン子機によって送出された前記子機音声信号を受信する音声信号受信手段と、前記音声信号受信手段によって受信された音声信号を外部に設置された記録装置に出力する音声信号出力手段とを有し、前記記録装置に前記映像信号出力手段によって出力された映像信号および前記音声信号出力手段によって出力された音声信号の記録を行わせることを特徴とする請求項１に記載のテレビドアホン装置。
【請求項３】
前記ドアホン親機に接続された少なくとも１つの監視カメラ機を備え、前記監視カメラ機が、撮像して監視映像信号を生成する監視撮像手段と、前記監視映像信号を前記ドアホン親機に送出する監視映像信号送出手段とを有し、前記映像信号受信手段が、前記監視カメラ機によって送出された前記監視映像信号をさらに受信することを特徴とする請求項１または請求項２に記載のテレビドアホン装置。
【請求項４】
前記ドアホン親機に接続された少なくとも１つの監視カメラ機を備え、前記監視カメラ機が、撮像して監視映像信号を生成する監視撮像手段と、前記監視映像信号を前記ドアホン親機に送出する監視映像信号送出手段と、集音して監視音声信号を生成する監視音声信号生成手段と、前記監視音声信号を前記ドアホン親機に送出する監視音声信号送出手段とを有し、前記映像信号受信手段が、前記監視カメラ機によって送出された前記監視映像信号をさらに受信し、前記音声信号受信手段が、前記監視カメラ機によって送出された前記監視音声信号をさらに受信することを特徴とする請求項２に記載のテレビドアホン装置。
【請求項５】
前記ドアホン子機が、呼出ボタンと、前記呼出ボタンが押下されたことを検出して呼出信号を前記ドアホン親機に送出する呼出信号送出手段とを有し、前記制御手段が、前記ドアホン子機によって送出された前記呼出信号を受信し、前記呼出信号が受信されたときに前記記録を開始させる赤外リモコン信号を送信するよう前記赤外リモコン送信手段を制御することを特徴とする請求項１乃至請求項４の何れかに記載のテレビドアホン装置。
【請求項６】
前記ドアホン親機が、前記ドアホン親機と前記ドアホン子機との間の通話を開始させる通話開始手段を有し、前記制御手段が、前記通話開始手段によって前記通話が開始されたときに前記記録を開始させる赤外リモコン信号を送信するよう前記赤外リモコン送信手段を制御することを特徴とする請求項１乃至請求項４の何れかに記載のテレビドアホン装置。
【請求項７】
前記ドアホン親機が、前記ドアホン子機と前記ドアホン親機との間の通話を行うための受話器を備え、前記通話開始手段が、前記受話器のオフフックを検出するとともに前記受話器のオフフックを検出したときに前記通話を開始させることを特徴とする請求項６に記載のテレビドアホン装置。
【請求項８】
前記ドアホン親機が、前記子機映像信号に基づいた画像の表示を開始させる表示開始手段を有し、前記制御手段が、前記表示開始手段によって画像の表示が開始されたときに前記記録を開始させる赤外リモコン信号を送信するよう前記赤外リモコン送信手段を制御することを特徴とする請求項１乃至請求項４の何れかに記載のテレビドアホン装置。
【請求項９】
前記制御手段が、前記記録を開始させる赤外リモコン信号を送出させてから予め設定された時間が経過したときに前記記録を停止させる赤外リモコン信号を送信するよう前記赤外リモコン送信手段を制御することを特徴とする請求項５乃至請求項８の何れかに記載のテレビドアホン装置。
【請求項１０】
前記ドアホン親機が、前記ドアホン子機と前記ドアホン親機との間の通話を停止させる通話停止手段を有し、前記制御手段が、前記通話停止手段によって前記ドアホン子機と前記ドアホン親機との間の通話が停止されたときに前記記録を停止させる赤外リモコン信号を送信するよう前記赤外リモコン送信手段を制御することを特徴とする請求項５乃至請求項８の何れかに記載のテレビドアホン装置。
【請求項１１】
前記ドアホン親機が、前記ドアホン子機と前記ドアホン親機との間の通話を行うための受話器を備え、前記通話停止手段が、前記受話器のオンフックを検出するとともに前記受話器のオンフックを検出したときに前記ドアホン子機と前記ドアホン親機との間の通話を停止させることを特徴とする請求項１０に記載のテレビドアホン装置。
【請求項１２】
前記ドアホン親機が、前記子機映像信号に基づいた画像の表示を停止させる表示停止手段を有し、前記制御手段が、前記表示停止手段によって画像の表示が停止されたときに前記記録を停止させる赤外リモコン信号を送信するよう前記赤外リモコン送信手段を制御することを特徴とする請求項５乃至請求項８の何れかに記載のテレビドアホン装置。
【請求項１３】
前記ドアホン親機が、物体が近づいたことを検知する物体検知センサに接続可能なインタフェイスを有し、前記制御手段が、前記物体検知センサによって送出される信号が入力されたときに前記記録を開始させる赤外リモコン信号を送信するよう前記赤外リモコン送信手段を制御し、前記記録を開始させる赤外リモコン信号を送出させてから予め設定された時間が経過したときに前記記録を停止させる赤外リモコン信号を送信するよう前記赤外リモコン送信手段を制御することを特徴とする請求項１乃至請求項４の何れかに記載のテレビドアホン装置。
【請求項１４】
前記ドアホン親機が、物体が近づいたことを検知する物体検知センサに接続可能なインタフェイスを有し、前記制御手段が、前記物体検知センサによって送出される信号が入力されたときに前記記録を開始させる赤外リモコン信号を送信するよう前記赤外リモコン送信手段を制御し、前記物体検知センサによって送出される信号が入力されなくなったときに前記記録を停止させる赤外リモコン信号を送信するよう前記赤外リモコン送信手段を制御することを特徴とする請求項１乃至請求項４の何れかに記載のテレビドアホン装置。
【請求項１５】
前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記制御手段が、前記物体検知信号が入力されたときに前記記録を開始させる赤外リモコン信号を送信するよう前記赤外リモコン送信手段を制御し、前記記録を開始させる赤外リモコン信号を送出させてから予め設定された時間が経過したときに前記記録を停止させる赤外リモコン信号を送信するよう前記赤外リモコン送信手段を制御することを特徴とする請求項１乃至請求項４の何れかに記載のテレビドアホン装置。
【請求項１６】
前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記制御手段が、前記物体検知信号が入力されたときに前記記録を開始させる赤外リモコン信号を送信するよう前記赤外リモコン送信手段を制御し、前記物体検知信号が入力されなくなったときに前記記録を停止させる赤外リモコン信号を送信するよう前記赤外リモコン送信手段を制御することを特徴とする請求項１乃至請求項４の何れかに記載のテレビドアホン装置。
【請求項１７】
前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、集音してセンサカメラ音声信号を生成するセンサカメラ音声信号生成手段と、前記センサカメラ音声信号を前記ドアホン親機に送出するセンサカメラ音声信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記音声信号受信手段が、前記センサカメラ機によって送出された前記センサカメラ音声信号をさらに受信し、前記制御手段が、前記物体検知信号が入力されたときに前記記録を開始させる赤外リモコン信号を送信するよう前記赤外リモコン送信手段を制御し、前記記録を開始させる赤外リモコン信号を送出させてから予め設定された時間が経過したときに前記記録を停止させる赤外リモコン信号を送信するよう前記赤外リモコン送信手段を制御することを特徴とする請求項２または請求項４に記載のテレビドアホン装置。
【請求項１８】
前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、集音してセンサカメラ音声信号を生成するセンサカメラ音声信号生成手段と、前記センサカメラ音声信号を前記ドアホン親機に送出するセンサカメラ音声信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記音声信号受信手段が、前記センサカメラ機によって送出された前記センサカメラ音声信号をさらに受信し、前記制御手段が、前記物体検知信号が入力されたときに前記記録を開始させる赤外リモコン信号を送信するよう前記赤外リモコン送信手段を制御し、前記物体検知信号が入力されなくなったときに前記記録を停止させる赤外リモコン信号を送信するよう前記赤外リモコン送信手段を制御することを特徴とする請求項２または請求項４に記載のテレビドアホン装置。
【請求項１９】
前記ドアホン親機が、前記記録を開始させる赤外リモコン信号を表す情報および前記記録を停止させる赤外リモコン信号を表す情報を学習して記憶する赤外リモコン学習記憶手段を備え、前記制御手段が、前記赤外リモコン学習記憶手段に記憶された情報に基づいた赤外リモコン信号を送信するよう前記赤外リモコン送信手段を制御することを特徴とする請求項１乃至請求項１８の何れかに記載のテレビドアホン装置。
【発明の詳細な説明】
【０００１】
【発明の属する技術分野】
本発明は、テレビドアホン装置に関し、詳しくは子機で撮像された画像を外部に設置された記録装置に記録するテレビドアホン装置に関するものである。
【０００２】
【従来の技術】
従来、映像を記録可能なテレビドアホン装置として、ドアホン子機によって撮像され生成された映像信号がドアホン親機に内蔵された映像信号記録手段によって記録されるものが知られており、この構成では、映像信号記録手段の記録容量は小容量である（例えば特許文献１参照）。
【０００３】
また、記録容量の少なさを改善するテレビドアホン装置９０００としては、図６に示すように、ドアホン子機９１００と、ドアホン子機９１００に接続されたドアホン親機９２００と、タイムラプスビデオ装置９３００とを備えたものが知られている。このように構成されたテレビドアホン装置９０００において、ドアホン子機９１００の撮像手段９１１０によって撮像され生成された映像信号が映像信号送出手段９１２０によってドアホン親機９２００に送出される。また、訪問者によって呼出ボタン９１３０が押下されたことが呼出信号送出手段９１３５によって検出され、呼出信号がドアホン親機９２００に送出される。ドアホン親機９２００の映像信号出力手段９２１０によって映像信号がタイムラプスビデオ装置９３００に出力され、接点信号出力手段９２２０によって呼出信号に応じて接点信号がタイムラプスビデオ装置９３００に出力される。タイムラプスビデオ装置９３００においては、入力された映像信号の記録が接点信号の入力に応じて行われるようになっている。
【０００４】
【特許文献１】
特開平６−６２４１１号公報
【０００５】
【発明が解決しようとする課題】
しかしながら、上述した従来のテレビドアホン装置では、必要な映像のみを記録するためには、記録装置に接点信号を入力し、接点信号に応じて映像記録を開始させるため、タイムラプスビデオ装置のような一般の家庭用映像記録装置に比べて高価な記録装置を備えなければならなかった。すなわち、安価な費用で大容量の映像を記録することができないという問題があった。
【０００６】
本発明はこのような問題を解決するためになされたもので、安価な費用で大容量の映像を記録することができるテレビドアホン装置を提供するものである。
【０００７】
【課題を解決するための手段】
本発明のテレビドアホン装置は、少なくとも１つのドアホン子機と、前記ドアホン子機に接続されたドアホン親機とを備え、前記ドアホン子機が、撮像して子機映像信号を生成する子機撮像手段と、前記子機映像信号を前記ドアホン親機に送出する子機映像信号送出手段とを有し、前記ドアホン親機が、前記ドアホン子機によって送出された前記子機映像信号を受信する映像信号受信手段と、前記映像信号受信手段によって受信された映像信号を外部に設置された記録装置に出力する映像信号出力手段と、前記映像信号出力手段によって出力された映像信号に基づいた前記記録装置による記録を開始させる赤外リモコン信号および前記記録を停止させる赤外リモコン信号を前記記録装置に送信する赤外リモコン送信手段と、前記赤外リモコン送信手段による赤外リモコン信号の送信のタイミングを制御する制御手段とを有した構成を有している。
【０００８】
この構成により、ドアホン子機によって撮像され生成された映像信号がドアホン親機を介して外部に設置された家庭用の記録装置に出力され、ドアホン親機によって外部に設置された記録装置の記録を開始させる赤外リモコン信号および記録を停止させる赤外リモコン信号が送出される。このため、テレビドアホン装置において撮像された映像信号を家庭用の記録装置で記録することができ、安価な費用で大容量の映像を記録することができる。
【０００９】
また、本発明のテレビドアホン装置は、前記ドアホン子機が、集音して子機音声信号を生成する子機音声信号生成手段と、前記子機音声信号を前記ドアホン親機に送出する子機音声信号送出手段とを有し、前記ドアホン親機が、前記ドアホン子機によって送出された前記子機音声信号を受信する音声信号受信手段と、前記音声信号受信手段によって受信された音声信号を外部に設置された記録装置に出力する音声信号出力手段とを有し、前記記録装置に前記映像信号出力手段によって出力された映像信号および前記音声信号出力手段によって出力された音声信号の記録を行わせる構成を有している。
【００１０】
この構成により、ドアホン子機によって集音され生成された子機音声信号がドアホン親機を介して外部に設置された家庭用の記録装置に出力される。このため、映像信号だけでなく音声信号も記録することができる。
【００１１】
また、本発明のテレビドアホン装置は、前記ドアホン親機に接続された少なくとも１つの監視カメラ機を備え、前記監視カメラ機が、撮像して監視映像信号を生成する監視撮像手段と、前記監視映像信号を前記ドアホン親機に送出する監視映像信号送出手段とを有し、前記映像信号受信手段が、前記監視カメラ機によって送出された前記監視映像信号をさらに受信する構成を有している。
【００１２】
この構成により、監視カメラ機によって撮像され生成された映像信号がドアホン親機を介して外部に設置された家庭用の記録装置に出力され、ドアホン親機によって外部に設置された記録装置の記録を開始させる赤外リモコン信号および記録を停止させる赤外リモコン信号が送出される。このため、テレビドアホン装置において撮像された映像信号を家庭用の記録装置で記録することができ、安価な費用で大容量の映像を記録することができる。さらに、ドアホン子機よりさらに広い範囲の映像を記録することができるとともに訪問者に気づかれない位置にカメラを設置することができる。
【００１３】
また、本発明のテレビドアホン装置は、前記ドアホン親機に接続された少なくとも１つの監視カメラ機を備え、前記監視カメラ機が、撮像して監視映像信号を生成する監視撮像手段と、前記監視映像信号を前記ドアホン親機に送出する監視映像信号送出手段と、集音して監視音声信号を生成する監視音声信号生成手段と、前記監視音声信号を前記ドアホン親機に送出する監視音声信号送出手段とを有し、前記映像信号受信手段が、前記監視カメラ機によって送出された前記監視映像信号をさらに受信し、前記音声信号受信手段が、前記監視カメラ機によって送出された前記監視音声信号をさらに受信する構成を有している。
【００１４】
この構成により、監視カメラ機によって集音して生成された音声信号をドアホン親機を介して記録装置に出力し、音声信号を記録することができる。
【００１５】
また、本発明のテレビドアホン装置は、前記ドアホン子機が、呼出ボタンと、前記呼出ボタンが押下されたことを検出して呼出信号を前記ドアホン親機に送出する呼出信号送出手段とを有し、前記制御手段が、前記ドアホン子機によって送出された前記呼出信号を受信し、前記呼出信号が受信されたときに前記記録を開始させる赤外リモコン信号を送信するよう前記赤外リモコン送信手段を制御する構成を有している。
【００１６】
この構成により、ドアホン子機によって出力される呼出信号を受信したときに、記録装置の記録を開始させる赤外リモコン信号がドアホン親機によって送出されるため、来客時にのみドアホン子機によって撮像され生成された映像信号および集音されて生成された音声信号を記録装置に記録させることができる。
【００１７】
また、本発明のテレビドアホン装置は、前記ドアホン親機が、前記ドアホン親機と前記ドアホン子機との間の通話を開始させる通話開始手段を有し、前記制御手段が、前記通話開始手段によって前記通話が開始されたときに前記記録を開始させる赤外リモコン信号を送信するよう前記赤外リモコン送信手段を制御する構成を有している。
【００１８】
この構成により、ドアホン子機とドアホン親機との通話が開始されたときに、記録装置の記録を開始させる赤外リモコン信号がドアホン親機によって送出される。このため、来客時だけでなく、待機中に通話開始手段によって通話開始状態に入った場合にもテレビドアホンにおいて生成された映像信号の記録装置での記録を開始させることができ、呼出し後に遅れて通話に入った場合にも、映像信号を逃さずに記録を残して防犯効果を維持することができる。
【００１９】
また、本発明のテレビドアホン装置は、前記ドアホン親機が、前記ドアホン子機と前記ドアホン親機との間の通話を行うための受話器を備え、前記通話開始手段が、前記受話器のオフフックを検出するとともに前記受話器のオフフックを検出したときに前記通話を開始させる構成を有している。
【００２０】
この構成により、受話器を介したドアホン子機とドアホン親機との通話が開始されたときに、記録装置の記録を開始させる赤外リモコン信号がドアホン親機によって送出される。このため、来客時だけでなく、待機中に通話開始手段によって通話開始状態に入った場合にもテレビドアホン装置において生成された映像信号の記録装置での記録を開始させることができ、呼出し後に遅れて通話に入った場合にも、映像信号を逃さずに記録を残して防犯効果を維持することができる。
【００２１】
また、本発明のテレビドアホン装置は、前記ドアホン親機が、前記子機映像信号に基づいた画像の表示を開始させる表示開始手段を有し、前記制御手段が、前記表示開始手段によって画像の表示が開始されたときに前記記録を開始させる赤外リモコン信号を送信するよう前記赤外リモコン送信手段を制御する構成を有している。
【００２２】
この構成により、子機映像信号に基づいた画像の表示が開始されたときに、記録装置の記録を開始させる赤外リモコン信号がドアホン親機によって送出される。このため、待機状態から表示開始手段を操作してモニター状態になった場合にあっても、記録することができ防犯効果を高めることができる。
【００２３】
また、本発明のテレビドアホン装置は、前記制御手段が、前記記録を開始させる赤外リモコン信号を送出させてから予め設定された時間が経過したときに前記記録を停止させる赤外リモコン信号を送信するよう前記赤外リモコン送信手段を制御する構成を有している。
【００２４】
この構成により、記録装置の記録が開始されてから予め設定された時間が経過したときに、記録装置の記録を停止させる赤外リモコン信号がドアホン親機によって送出される。このため、必要以上の映像信号の記録を防止することができる。
【００２５】
また、本発明のテレビドアホン装置は、前記ドアホン親機が、前記ドアホン子機と前記ドアホン親機との間の通話を停止させる通話停止手段を有し、前記制御手段が、前記通話停止手段によって前記ドアホン子機と前記ドアホン親機との間の通話が停止されたときに前記記録を停止させる赤外リモコン信号を送信するよう前記赤外リモコン送信手段を制御する構成を有している。
【００２６】
この構成により、ドアホン子機とドアホン親機との通話が停止されたときに、記録装置の記録を停止させる赤外リモコン信号がドアホン親機によって送出される。このため、来客時に記録装置によって映像信号の記録が開始されて、通話中は記録装置の記録を継続させ、通話終了時に記録を終了することができ、通話中の映像記録や通話内容の録音を行うことで、例えば、子供の留守番中において防犯高価をさらに高めることができる。
【００２７】
また、本発明のテレビドアホン装置は、前記ドアホン親機が、前記ドアホン子機と前記ドアホン親機との間の通話を行うための受話器を備え、前記通話停止手段が、前記受話器のオンフックを検出するとともに前記受話器のオンフックを検出したときに前記ドアホン子機と前記ドアホン親機との間の通話を停止させる構成を有している。
【００２８】
この構成により、受話器を介したドアホン子機とドアホン親機との通話が停止されたときに、記録装置の記録を停止させる赤外リモコン信号がドアホン親機によって送出される。このため、来客時に記録装置によって映像信号の記録が開始されて、通話中は記録装置の記録を継続させ、通話終了時に記録を終了することができ、通話中の映像記録や通話内容の録音を行うことで、例えば、子供の留守番中において防犯高価をさらに高めることができる。
【００２９】
また、本発明のテレビドアホン装置は、前記ドアホン親機が、前記子機映像信号に基づいた画像の表示を停止させる表示停止手段を有し、前記制御手段が、前記表示停止手段によって画像の表示が停止されたときに前記記録を停止させる赤外リモコン信号を送信するよう前記赤外リモコン送信手段を制御する構成を有している。
【００３０】
この構成により、子機映像信号に基づいた画像の表示が停止されたときに、記録装置の記録を停止させる赤外リモコン信号がドアホン親機によって送出される。このため、モニター状態が終わるまで記録することができ、防犯効果を高めることができる。
【００３１】
また、本発明のテレビドアホン装置は、前記ドアホン親機が、物体が近づいたことを検知する物体検知センサに接続可能なインタフェイスを有し、前記制御手段が、前記物体検知センサによって送出される信号が入力されたときに前記記録を開始させる赤外リモコン信号を送信するよう前記赤外リモコン送信手段を制御し、前記記録を開始させる赤外リモコン信号を送出させてから予め設定された時間が経過したときに前記記録を停止させる赤外リモコン信号を送信するよう前記赤外リモコン送信手段を制御する構成を有している。
【００３２】
この構成により、物体検知センサに例えば人物が近づいたときに記録装置の記録を開始させる赤外リモコン信号が記録装置に送信されるため、訪問者が呼出ボタンを押さなかった場合、または通話応対などを行わなかった場合にあっても、訪問者を逃さず記録することができ、高い防犯効果を得ることができる。
【００３３】
また、本発明のテレビドアホン装置は、前記ドアホン親機が、物体が近づいたことを検知する物体検知センサに接続可能なインタフェイスを有し、前記制御手段が、前記物体検知センサによって送出される信号が入力されたときに前記記録を開始させる赤外リモコン信号を送信するよう前記赤外リモコン送信手段を制御し、前記物体検知センサによって送出される信号が入力されなくなったときに前記記録を停止させる赤外リモコン信号を送信するよう前記赤外リモコン送信手段を制御する構成を有している。
【００３４】
この構成により、物体検知センサに近づいた人物が立ち去ったときに記録装置の記録を停止させる赤外リモコン信号が記録装置に送信されるため、訪問者が呼出ボタンを押さなかった場合、または通話応対などを行わなかった場合にあっても、訪問者を逃さず記録することができ、訪問者が立ち去るまで記録装置による継続記録ができ、高い防犯効果を得ることができる。
【００３５】
また、本発明のテレビドアホン装置は、前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記制御手段が、前記物体検知信号が入力されたときに前記記録を開始させる赤外リモコン信号を送信するよう前記赤外リモコン送信手段を制御し、前記記録を開始させる赤外リモコン信号を送出させてから予め設定された時間が経過したときに前記記録を停止させる赤外リモコン信号を送信するよう前記赤外リモコン送信手段を制御する構成を有している。
【００３６】
この構成により、外部に物体検知センサを設置しない場合にあっても、例えば人物がセンサカメラ機に近づいたときに、記録装置の記録を開始させる赤外リモコン信号が記録装置に送信される。このため、簡単な設置構成で防犯性の高いテレビドアホン装置を提供できる。
【００３７】
また、本発明のテレビドアホン装置は、前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記制御手段が、前記物体検知信号が入力されたときに前記記録を開始させる赤外リモコン信号を送信するよう前記赤外リモコン送信手段を制御し、前記物体検知信号が入力されなくなったときに前記記録を停止させる赤外リモコン信号を送信するよう前記赤外リモコン送信手段を制御する構成を有している。
【００３８】
この構成により、外部に物体検知センサを設置しない場合にあっても、例えば人物がセンサカメラ機に近づいたときに、記録装置の記録を開始させる赤外リモコン信号が記録装置に送信される。このため、簡単な設置構成で防犯性の高いテレビドアホン装置を提供できる。また、センサカメラ機によって集音して生成された音声信号をドアホン親機を介して記録装置に出力し、音声信号を記録することができる。
【００３９】
また、本発明のテレビドアホン装置は、前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、集音してセンサカメラ音声信号を生成するセンサカメラ音声信号生成手段と、前記センサカメラ音声信号を前記ドアホン親機に送出するセンサカメラ音声信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記音声信号受信手段が、前記センサカメラ機によって送出された前記センサカメラ音声信号をさらに受信し、前記制御手段が、前記物体検知信号が入力されたときに前記記録を開始させる赤外リモコン信号を送信するよう前記赤外リモコン送信手段を制御し、前記記録を開始させる赤外リモコン信号を送出させてから予め設定された時間が経過したときに前記記録を停止させる赤外リモコン信号を送信するよう前記赤外リモコン送信手段を制御する構成を有している。
【００４０】
この構成により、例えば人物がセンサカメラ機に近づいたときに記録装置の記録を開始させる赤外リモコン信号が記録装置に送信され、センサカメラ機に近づいた人物が立ち去ったときに記録装置の記録を停止させる赤外リモコン信号が記録装置に送信される。このため、簡単な設置構成で防犯性の高いテレビドアホン装置を提供できるとともに、センサカメラ機による訪問者の記録を訪問者が立ち去るまで継続記録できるため、さらに高い防犯効果を得ることができる。
【００４１】
また、本発明のテレビドアホン装置は、前記ドアホン親機に接続された少なくとも１つのセンサカメラ機を備え、前記センサカメラ機が、撮像してセンサカメラ映像信号を生成するセンサカメラ撮像手段と、前記センサカメラ映像信号を前記ドアホン親機に送出するセンサカメラ映像信号送出手段と、集音してセンサカメラ音声信号を生成するセンサカメラ音声信号生成手段と、前記センサカメラ音声信号を前記ドアホン親機に送出するセンサカメラ音声信号送出手段と、物体が近づいたことを検知する物体検知手段と、前記物体検知手段によって物体が近づいたことが検知されたときに前記ドアホン親機に物体検知信号を送出する物体検知信号送出手段とを有し、前記映像信号受信手段が、前記センサカメラ機によって送出された前記センサカメラ映像信号をさらに受信し、前記音声信号受信手段が、前記センサカメラ機によって送出された前記センサカメラ音声信号をさらに受信し、前記制御手段が、前記物体検知信号が入力されたときに前記記録を開始させる赤外リモコン信号を送信するよう前記赤外リモコン送信手段を制御し、前記物体検知信号が入力されなくなったときに前記記録を停止させる赤外リモコン信号を送信するよう前記赤外リモコン送信手段を制御する構成を有している。
【００４２】
この構成により、例えば人物がセンサカメラ機に近づいたときに記録装置の記録を開始させる赤外リモコン信号が記録装置に送信され、センサカメラ機に近づいた人物が立ち去ったときに記録装置の記録を停止させる赤外リモコン信号が記録装置に送信される。このため、簡単な設置構成で防犯性の高いテレビドアホン装置を提供できるとともに、センサカメラ機による訪問者の記録を訪問者が立ち去るまで継続記録できるため、さらに高い防犯効果を得ることができる。さらに、センサカメラ機によって集音して生成された音声信号をドアホン親機を介して記録装置に出力し、音声信号を記録することができる。
【００４３】
また、本発明のテレビドアホン装置は、前記ドアホン親機が、前記記録を開始させる赤外リモコン信号を表す情報および前記記録を停止させる赤外リモコン信号を表す情報を学習して記憶する赤外リモコン学習記憶手段を備え、前記制御手段が、前記赤外リモコン学習記憶手段に記憶された情報に基づいた赤外リモコン信号を送信するよう前記赤外リモコン送信手段を制御する構成を有している。
【００４４】
この構成により、ドアホン親機において記録を開始させる赤外リモコン信号を表す情報および記録を停止させる赤外リモコン信号を表す情報を記録装置の機種に応じて学習して記憶し、記憶された情報に基づいた赤外リモコン信号を送信することができる。このため、記録装置のメーカーまたは機種を幅広く選定することができる。
【００４５】
【発明の実施の形態】
以下、本発明の実施の形態について、図面を参照して説明する。
（第１の実施の形態）
図１に示すように、本発明の第１の実施の形態のテレビドアホン装置１０００は、玄関などの所定の場所に設置されるドアホン子機１１００と、ドアホン子機１１００に接続されたドアホン親機１２００とを備えている。なお、本発明の第１の実施の形態において、テレビドアホン装置１０００は、１つのドアホン子機１１００によって構成されるが、複数のドアホン子機１１００によって構成されてもよい。
【００４６】
なお、ドアホン子機１１００およびドアホン親機１２００は、１つの伝送路で通信可能に接続されている。また、ドアホン子機１１００は、ドアホン親機１２００との間で通話を行う子機通話手段を当然に有しているものとする。また、ドアホン親機１２００は、ドアホン子機１１００との間で通話を行う親機通話手段を当然に有しているものとする。また、ドアホン親機１２００は、後述する子機映像信号に基づいた画像を表示するモニタを当然に有しているものとする。
【００４７】
ドアホン子機１１００は、撮像して子機映像信号を生成する子機撮像手段１１１０と、子機映像信号をドアホン親機１２００に送出する子機映像信号送出手段１１１５と、集音して子機音声信号を生成する子機音声信号生成手段１１２０と、子機音声信号をドアホン親機１２００に送出する子機音声信号送出手段１１２５と、訪問者に押下させる呼出ボタン１１３０と、呼出ボタン１１３０が押下されたことを検出して呼出信号をドアホン親機１２００に送出する呼出信号送出手段１１３５とを有している。
【００４８】
子機撮像手段１１１０は、前述したように撮像して子機映像信号を生成し、生成された子機映像信号を子機映像信号送出手段１１１５に出力するようになっている。
子機映像信号送出手段１１１５には、子機撮像手段１１１０によって出力された子機映像信号が入力されるようになっており、子機映像信号送出手段１１１５は、前述したように入力された子機映像信号をドアホン親機１２００に送出するようになっている。
【００４９】
子機音声信号生成手段１１２０は、前述したように集音して子機音声信号を生成し、生成された子機音声信号を子機音声信号送出手段１１２５に出力するようになっている。
子機音声信号送出手段１１２５には、子機音声信号生成手段１１２０によって出力された子機音声信号が入力されるようになっており、子機音声信号送出手段１１２５は、前述したように入力された子機音声信号をドアホン親機１２００に送出するようになっている。
【００５０】
呼出信号送出手段１１３５は、前述したように呼出ボタン１１３０が押下されたことを検出し、呼出ボタン１１３０が押下されたことの検出に応じて呼出信号を生成し、生成された呼出信号をドアホン親機１２００に送出するようになっている。
【００５１】
ドアホン親機１２００は、ドアホン子機１１００によって送出された子機映像信号を受信する映像信号受信手段１２１０と、映像信号受信手段１２１０によって受信された映像信号を外部に設置された記録装置１００に出力する映像信号出力手段１２１５と、ドアホン子機１１００によって送出された子機音声信号を受信する音声信号受信手段１２２０と、音声信号受信手段１２２０によって受信された音声信号を外部に設置された記録装置１００に出力する音声信号出力手段１２２５とを有している。
【００５２】
映像信号受信手段１２１０は、前述したようにドアホン子機１１００によって送出された子機映像信号を受信し、受信された子機映像信号を映像信号出力手段１２１５に出力するようになっている。
映像信号出力手段１２１５には、映像信号受信手段１２１０によって出力された子機映像信号が入力されるようになっており、映像信号出力手段１２１５は、前述したように入力された子機映像信号を外部に設置された記録装置１００に出力するようになっている。
【００５３】
音声信号受信手段１２２０は、前述したようにドアホン子機１１００によって送出された子機音声信号を受信し、受信した子機音声信号を音声信号出力手段１２２５に出力するようになっている。
音声信号出力手段１２２５には、音声信号受信手段１２２０によって出力された子機音声信号が入力されるようになっており、音声信号出力手段１２２５は、前述したように入力された子機音声信号を外部に設置された記録装置１００に出力するようになっている。
【００５４】
さらに、ドアホン親機１２００は、ドアホン子機１１００とドアホン親機１２００との間の通話を開始させる通話開始手段１２３０ａと、ドアホン子機１１００とドアホン親機１２００との間の通話を停止させる通話停止手段１２３０ｂと、子機映像信号に基づいた画像の表示を開始させる表示開始手段１２４０ａと、子機映像信号に基づいた画像の表示を停止させる表示停止手段１２４０ｂとを有している。また、ドアホン親機１２００は、ドアホン子機１１００とドアホン親機１２００との間の通話を行うための受話器１２３５を有していてもよい。
【００５５】
さらに、ドアホン親機１２００は、記録装置１００による記録を開始させる赤外リモコン信号および記録装置１００による記録を停止させる赤外リモコン信号を記録装置１００に送信する赤外リモコン送信手段１２５０と、赤外リモコン送信手段１２５０による赤外リモコン信号の送信のタイミングを制御する制御手段１２６０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。
【００５６】
赤外リモコン送信手段１２５０は、例えば、赤外光発光ダイオードによって構成される。
制御手段１２６０は、ドアホン子機１１００によって送出された呼出信号を受信し、呼出信号が受信されたときに、開始信号を送信するよう赤外リモコン送信手段１２５０を制御するようになっている。
【００５７】
また、制御手段１２６０は、赤外リモコン送信手段１２５０に開始信号を送信させてから経過した時間を計測するタイマを有しており、制御手段１２６０は、赤外リモコン送信手段１２５０に開始信号を送信させてから予め設定された時間が経過したときに、停止信号を送信するよう赤外リモコン送信手段１２５０を制御するようになっている。
【００５８】
なお、制御手段１２６０は、通話開始手段１２３０ａによってドアホン子機１１００とドアホン親機１２００との間の通話が開始されたことを検知するようになっていてもよく、この場合にあっては、ドアホン子機１１００とドアホン親機１２００との間の通話が開始されたことを検知したときに、開始信号を送信するよう赤外リモコン送信手段１２５０を制御するようになっていてもよい。
【００５９】
また、制御手段１２６０は、表示開始手段１２４０ａによって子機映像信号に基づいた画像の表示が開始されたことを検知するようになっていてもよく、この場合にあっては、子機映像信号に基づいた画像の表示が開始されたことを検知したときに、開始信号を送信するよう赤外リモコン送信手段１２５０を制御するようになっていてもよい。
【００６０】
さらに、制御手段１２６０は、通話停止手段１２３０ｂによってドアホン子機１１００とドアホン親機１２００との間の通話が停止されたことを検知するようになっていてもよく、この場合にあっては、ドアホン子機１１００とドアホン親機１２００との間の通話が停止されたことを検知したときに、停止信号を送信するよう赤外リモコン送信手段１２５０を制御するようになっていてもよい。
【００６１】
また、制御手段１２６０は、表示停止手段１２４０ｂによって子機映像信号に基づいた画像の表示が停止されたことを検知するようになっていてもよく、この場合にあっては、子機映像信号に基づいた画像の表示が停止されたことを検知したときに、停止信号を送信するよう赤外リモコン送信手段１２５０を制御するようになっていてもよい。
【００６２】
なお、記録装置１００は、映像信号を録画再生可能な装置、または映像信号および音声信号の両方の信号を録画再生可能な装置であればよく、例えば、家庭用のＶＴＲ（Ｖｉｄｅｏ  Ｔａｐｅ  Ｒｅｃｏｒｄｅｒ）装置、光ディスク録画再生装置（いわゆるＤＶＤ、Ｄｉｇｉｔａｌ  Ｖｅｒｓａｔｉｌｅ  Ｄｉｓｋ）または磁気ディスク録画再生装置などでもよい。
【００６３】
次に、本発明の第１の実施の形態のテレビドアホン装置１０００に係る動作について説明する。なお、以下の説明において、制御手段１２６０は、呼出信号が受信されたときに開始信号を送信するよう赤外リモコン送信手段１２５０を制御し、赤外リモコン送信手段１２５０に開始信号を送信させてから予め設定された時間が経過したときに停止信号を送信するよう赤外リモコン送信手段１２５０を制御するようになっているものとする。
【００６４】
まず、呼出ボタン１１３０が押下されたことが呼出信号送出手段１１３５によって検出され、呼出信号が呼出信号送出手段１１３５によってドアホン親機１２００に送出される。ここで、制御手段１２６０によって呼出信号が受信され、制御手段１２６０によって赤外リモコン送信手段１２５０が開始信号を送出するよう制御される。そして、赤外リモコン送信手段１２５０によって開始信号が記録装置１００に送信され、記録装置１００による記録が開始される。
【００６５】
このとき、子機撮像手段１１１０によって撮像されて子機映像信号が生成され、生成された子機映像信号が子機映像信号送出手段１１１５によってドアホン親機１２００に送出される。また、子機音声信号生成手段１１２０によって集音されて子機音声信号が生成され、生成された子機音声信号が子機音声信号送出手段１１２５によってドアホン親機１２００に送出される。
【００６６】
さらに、ドアホン子機１１００によって送出された子機映像信号および子機音声信号が映像信号受信手段１２１０および音声信号受信手段１２２０によってそれぞれ受信され、受信された子機映像信号および子機音声信号が映像信号出力手段１２１５および音声信号出力手段１２２５によってそれぞれ記録装置１００に出力される。
【００６７】
その後、記録装置１００による子機映像信号および子機音声信号の記録が継続され、赤外リモコン送信手段１２５０によって開始信号が記録装置１００に送信されてから予め設定された時間が経過したときに、制御手段１２６０によって赤外リモコン送信手段１２５０が停止信号を送出するよう制御される。そして、赤外リモコン送信手段１２５０によって停止信号が記録装置１００に送信され、記録装置１００による記録が停止される。
【００６８】
以上説明したように、本発明の第１の実施の形態のテレビドアホン装置は、ドアホン子機によって撮像され生成された映像信号がドアホン親機を介して外部に設置された家庭用の記録装置に出力され、ドアホン親機によって外部に設置された記録装置の記録を開始させる赤外リモコン信号および記録を停止させる赤外リモコン信号が送出される。また、一般家庭に普及されているＶＴＲ装置またはＤＶＤ装置などの家庭用の記録装置は、殆どが赤外リモコン機能を備えており、赤外リモコン信号による記録開始および記録停止の制御を行え、さらに、タイムラプスビデオ装置と比較しても非常に安価である。このため、テレビドアホン装置において撮像された映像信号を家庭用の記録装置で記録することができ、安価な費用で大容量の映像を記録することができる。
また、ドアホン子機によって集音され生成された子機音声信号がドアホン親機を介して外部に設置された家庭用の記録装置に出力されるため、映像信号だけでなく音声信号も記録することができる。
また、ドアホン子機によって出力される呼出信号を受信したときに、記録装置の記録を開始させる赤外リモコン信号がドアホン親機によって送出されるため、来客時にのみドアホン子機によって撮像され生成された映像信号および集音されて生成された音声信号を記録装置に記録させることができる。
また、記録装置の記録が開始されてから予め設定された時間が経過したときに、記録装置の記録を停止させる赤外リモコン信号がドアホン親機によって送出される。このため、必要以上の映像信号の記録を防止することができる。
【００６９】
なお、本発明の第１の実施の形態ののテレビドアホン装置は、ドアホン子機とドアホン親機との通話が開始されたときに、記録装置の記録を開始させる赤外リモコン信号がドアホン親機によって送出されるように構成されてもよい。この場合、来客時だけでなく、待機中に通話開始手段によって通話開始状態に入った場合にもドアホン子機によって生成された映像信号の記録装置での記録を開始させることができ、呼出し後に遅れて通話に入った場合にも、映像信号を逃さずに記録を残して防犯効果を維持することができる。
【００７０】
また、ドアホン子機とドアホン親機との通話が停止されたときに、記録装置の記録を停止させる赤外リモコン信号がドアホン親機によって送出されるように構成されてもよい。この場合、来客時に記録装置によって映像信号の記録が開始されて、通話中は記録装置の記録を継続させ、通話終了時に記録を終了することができ、通話中の映像記録や通話内容の録音を行うことで、例えば、子供の留守番中において防犯高価をさらに高めることができる。
【００７１】
また、本発明の実施の形態においては、受話器タイプの通話手段およびハンズフリータイプの通話手段、並びに受話器、ハンズフリー併用タイプのテレビドアホンにも適用できる。
【００７２】
また、子機映像信号に基づいた画像の表示が開始されたときに、記録装置の記録を開始させる赤外リモコン信号がドアホン親機によって送出され、子機映像信号に基づいた画像の表示が停止されたときに、記録装置の記録を停止させる赤外リモコン信号がドアホン親機によって送出されるように構成されてもよい。この場合、待機状態から表示開始手段を操作してモニター状態になった場合にあっても、記録することができ防犯効果を高めることができる。
【００７３】
なお、本発明の第１の実施の形態では、記録装置１００に子機映像信号および子機音声信号を記録させるようになっていたが、記録装置１００に子機映像信号だけを記録させるようになっていてもよい。この場合には、ドアホン子機１１００は、子機音声信号生成手段１１２０および子機音声信号送出手段１１２５を有していなくてもよく、ドアホン親機１２００は、音声信号受信手段１２２０および音声信号出力手段１２２５を有していなくてもよい。
【００７４】
また、本発明の第１の実施の形態のテレビドアホン装置１０００に係るドアホン親機１２００は、通話開始手段１２３０ａを備えていなくても実施可能であり、通話停止手段１２３０ｂを備えていなくても実施可能である。また、本発明の第１の実施の形態のテレビドアホン装置１０００に係るドアホン親機１２００は、表示開始手段１２４０ａを備えていなくても実施可能であり、表示停止手段１２４０ｂを備えていなくても実施可能である。
【００７５】
（第２の実施の形態）
図２に示すように、本発明の第２の実施の形態のテレビドアホン装置２０００は、玄関などの所定の場所に設置されるドアホン子機１１００と、ドアホン子機１１００に接続されたドアホン親機２２００とを備えている。なお、本発明の第２の実施の形態において、テレビドアホン装置２０００は、１つのドアホン子機１１００によって構成されるが、複数のドアホン子機１１００によって構成されてもよい。
【００７６】
なお、ドアホン子機１１００およびドアホン親機２２００は、１つの伝送路で通信可能に接続されている。また、ドアホン子機１１００は、ドアホン親機２２００との間で通話を行う子機通話手段を当然に有しているものとする。また、ドアホン親機２２００は、ドアホン子機１１００との間で通話を行う親機通話手段を当然に有しているものとする。また、ドアホン親機２２００は、後述する子機映像信号に基づいた画像を表示するモニタを当然に有しているものとする。
【００７７】
ドアホン子機１１００は、撮像して子機映像信号を生成する子機撮像手段１１１０と、子機映像信号をドアホン親機１２００に送出する子機映像信号送出手段１１１５と、集音して子機音声信号を生成する子機音声信号生成手段１１２０と、子機音声信号をドアホン親機１２００に送出する子機音声信号送出手段１１２５と、訪問者に押下させる呼出ボタン１１３０と、呼出ボタン１１３０が押下されたことを検出して呼出信号をドアホン親機１２００に送出する呼出信号送出手段１１３５とを有している。
【００７８】
ドアホン親機２２００は、ドアホン子機１１００によって送出された子機映像信号を受信する映像信号受信手段１２１０と、映像信号受信手段１２１０によって受信された映像信号を外部に設置された記録装置１００に出力する映像信号出力手段１２１５と、ドアホン子機１１００によって送出された子機音声信号を受信する音声信号受信手段１２２０と、音声信号受信手段１２２０によって受信された音声信号を外部に設置された記録装置１００に出力する音声信号出力手段１２２５とを有している。
【００７９】
また、ドアホン親機２２００は、記録装置１００による記録を開始させる赤外リモコン信号および記録装置１００による記録を停止させる赤外リモコン信号を記録装置１００に送信する赤外リモコン送信手段１２５０と、赤外リモコン送信手段１２５０による赤外リモコン信号の送信のタイミングを制御する制御手段２２６０と、物体が近づいたことを検知する物体検知センサ２１０に接続可能なインタフェイス２２７０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。
【００８０】
なお、ドアホン親機２２００は、ドアホン子機１１００とドアホン親機２２００との間の通話を開始させる通話開始手段１２３０ａと、ドアホン子機１１００とドアホン親機２２００との間の通話を停止させる通話停止手段１２３０ｂと、子機映像信号に基づいた画像の表示を開始させる表示開始手段１２４０ａと、子機映像信号に基づいた画像の表示を停止させる表示停止手段１２４０ｂと、ドアホン子機１１００とドアホン親機２２００との間の通話を行うための受話器１２３５とを有していてもよい。
【００８１】
ここで、記録装置１００は、映像信号を録画再生可能な装置、または映像信号および音声信号の両方の信号を録画再生可能な装置であればよく、例えば、家庭用のＶＴＲ装置、光ディスク録画再生装置または磁気ディスク録画再生装置などでもよい。また、物体検知センサ２１０は、例えば、人物などの物体が近づいたことを検知したときに物体検知信号を送出するようになっているセンサであれば、その構成は限定されない。
【００８２】
なお、本発明の第２の実施の形態に係るテレビドアホン装置２０００においては、本発明の第１の実施の形態に係るテレビドアホン装置１０００の構成要素と同一の構成要素に本発明の第１の実施の形態に係るテレビドアホン装置１０００の構成要素と同一の符号を付して、その説明を省略する。
【００８３】
制御手段２２６０は、インタフェイス２２７０を介して物体検知センサ２１０より送出された物体検知信号が入力されたときに開始信号を送信するよう赤外リモコン送信手段１２５０を制御するようになっている。また、制御手段２２６０は、物体検知センサ２１０によって送出される物体検知信号が入力されなくなったときに停止信号を送信するよう赤外リモコン送信手段１２５０を制御するようになっている。
【００８４】
なお、制御手段２２６０は、本発明の第１の実施の形態のテレビドアホン装置１０００に係る制御手段１２６０と同様に、赤外リモコン送信手段１２５０に開始信号を送信させてから予め設定された時間が経過したときに停止信号を送信するよう赤外リモコン送信手段１２５０を制御するようになっていてもよい。
【００８５】
次に、本発明の第２の実施の形態のテレビドアホン装置２０００に係る動作について説明する。
まず、物体検知センサ２１０によって物体が近づいたことが検知されて送出された物体検知信号がインタフェイス２２７０を介して制御手段２２６０に入力され、制御手段２２６０によって赤外リモコン送信手段１２５０が開始信号を送出するよう制御される。そして、赤外リモコン送信手段１２５０によって開始信号が記録装置１００に送信され、記録装置１００による記録が開始される。
【００８６】
このとき、子機撮像手段１１１０によって撮像されて子機映像信号が生成され、生成された子機映像信号が子機映像信号送出手段１１１５によってドアホン親機２２００に送出される。また、子機音声信号生成手段１１２０によって集音されて子機音声信号が生成され、生成された子機音声信号が子機音声信号送出手段１１２５によってドアホン親機２２００に送出される。
【００８７】
さらに、ドアホン子機１１００によって送出された子機映像信号および子機音声信号が映像信号受信手段１２１０および音声信号受信手段１２２０によってそれぞれ受信され、受信された子機映像信号および子機音声信号が映像信号出力手段１２１５および音声信号出力手段１２２５によってそれぞれ記録装置１００に出力される。
【００８８】
その後、記録装置１００による子機映像信号および子機音声信号の記録が継続され、物体検知センサ２１０によって送出される物体検知信号が制御手段２２６０に入力されなくなったときに、制御手段２２６０によって赤外リモコン送信手段１２５０が停止信号を送出するよう制御される。そして、赤外リモコン送信手段１２５０によって停止信号が記録装置１００に送信され、記録装置１００による記録が停止される。
【００８９】
以上説明したように、本発明の第２の実施の形態のテレビドアホン装置は、物体検知センサに例えば人物が近づいたときに記録装置の記録を開始させる赤外リモコン信号が記録装置に送信されるため、訪問者が呼出ボタンを押さなかった場合、または通話応対などを行わなかった場合にあっても、訪問者を逃さず記録することができ、高い防犯効果を得ることができる。
また、物体検知センサに近づいた人物が立ち去ったときに記録装置の記録を停止させる赤外リモコン信号が記録装置に送信されるため、訪問者が呼出ボタンを押さなかった場合、または通話応対などを行わなかった場合にあっても、訪問者を逃さず記録することができ、訪問者が立ち去るまで記録装置による継続記録ができ、高い防犯効果を得ることができる。
【００９０】
なお、本発明の第２の実施の形態では、記録装置１００に映像信号および音声信号を記録させるようになっていたが、記録装置１００に映像信号だけを記録させるようになっていてもよい。この場合には、ドアホン子機１１００は、子機音声信号生成手段１１２０および子機音声信号送出手段１１２５を有していなくてもよく、ドアホン親機２２００は、音声信号受信手段１２２０および音声信号出力手段１２２５を有していなくてもよい。
【００９１】
また、本発明の第２の実施の形態のテレビドアホン装置２０００に係る制御手段２２６０は、制御手段２２６０の機能に加えて本発明の第１の実施の形態のテレビドアホン装置１０００に係る制御手段１２６０と同様の機能を有するよう構成してもよい。
【００９２】
（第３の実施の形態）
図３に示すように、本発明の第３の実施の形態のテレビドアホン装置３０００は、玄関などの所定の場所に設置されるドアホン子機１１００と、ドアホン子機１１００に接続されたドアホン親機３２００と、所定の場所に設置される監視カメラ機３３００とを備えている。なお、本発明の第３の実施の形態において、テレビドアホン装置３０００は、１つのドアホン子機１１００によって構成されるが、複数のドアホン子機１１００によって構成されてもよい。また、本発明の第３の実施の形態において、テレビドアホン装置３０００は、１つの監視カメラ機３３００によって構成されるが、複数の監視カメラ機３３００によって構成されてもよい。
【００９３】
なお、ドアホン子機１１００、ドアホン親機３２００および監視カメラ機３３００は、１つの伝送路で通信可能に接続されている。また、ドアホン子機１１００は、ドアホン親機３２００との間で通話を行う子機通話手段を当然に有しているものとする。また、ドアホン親機３２００は、ドアホン子機１１００との間で通話を行う親機通話手段を当然に有しているものとする。また、ドアホン親機３２００は、後述する子機映像信号に基づいた画像を表示するモニタを当然に有しているものとする。
【００９４】
ドアホン子機１１００は、撮像して子機映像信号を生成する子機撮像手段１１１０と、子機映像信号をドアホン親機１２００に送出する子機映像信号送出手段１１１５と、集音して子機音声信号を生成する子機音声信号生成手段１１２０と、子機音声信号をドアホン親機１２００に送出する子機音声信号送出手段１１２５と、訪問者に押下させる呼出ボタン１１３０と、呼出ボタン１１３０が押下されたことを検出して呼出信号をドアホン親機１２００に送出する呼出信号送出手段１１３５とを有している。
【００９５】
ドアホン親機３２００は、ドアホン子機１１００送出された子機映像信号を受信する映像信号受信手段３２１０と、映像信号受信手段３２１０によって受信された映像信号を外部に設置された記録装置１００に出力する映像信号出力手段１２１５と、ドアホン子機１１００によって送出された子機音声信号を受信する音声信号受信手段３２２０と、音声信号受信手段３２２０によって受信された音声信号を外部に設置された記録装置１００に出力する音声信号出力手段１２２５とを有している。
【００９６】
また、ドアホン親機３２００は、記録装置１００による記録を開始させる赤外リモコン信号および記録装置１００による記録を停止させる赤外リモコン信号を記録装置１００に送信する赤外リモコン送信手段１２５０と、赤外リモコン送信手段１２５０による赤外リモコン信号の送信のタイミングを制御する制御手段３２６０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。
【００９７】
なお、ドアホン親機３２００は、ドアホン子機１１００とドアホン親機３２００との間の通話を開始させる通話開始手段１２３０ａと、ドアホン子機１１００とドアホン親機３２００との間の通話を停止させる通話停止手段１２３０ｂと、子機映像信号に基づいた画像の表示を開始させる表示開始手段１２４０ａと、子機映像信号に基づいた画像の表示を停止させる表示停止手段１２４０ｂと、ドアホン子機１１００とドアホン親機３２００との間の通話を行うための受話器１２３５と、物体が近づいたことを検知する物体検知センサ２１０に接続可能なインタフェイス２２７０とを有していてもよい。
【００９８】
監視カメラ機３３００は、撮像して監視映像信号を生成する監視撮像手段３３１０と、監視映像信号をドアホン親機３２００に送出する監視映像信号送出手段３３１５と、集音して監視音声信号を生成する監視音声信号生成手段３３２０と、監視音声信号をドアホン親機３２００に送出する監視音声信号送出手段３３２５とを有している。
【００９９】
ここで、記録装置１００は、映像信号を録画再生可能な装置、または映像信号および音声信号の両方の信号を録画再生可能な装置であればよく、例えば、家庭用のＶＴＲ装置、光ディスク録画再生装置または磁気ディスク録画再生装置などでもよい。また、物体検知センサ２１０は、例えば、人物などの物体が近づいたことを検知したときに物体検知信号を送出するようになっているセンサであれば、その構成は限定されない。
【０１００】
なお、本発明の第３の実施の形態に係るテレビドアホン装置３０００においては、本発明の第１の実施の形態に係るテレビドアホン装置１０００の構成要素と同一の構成要素に本発明の第１の実施の形態に係るテレビドアホン装置１０００の構成要素と同一の符号を付して、その説明を省略する。
【０１０１】
また、本発明の第３の実施の形態に係るテレビドアホン装置３０００においては、本発明の第２の実施の形態に係るテレビドアホン装置２０００の構成要素と同一の構成要素に本発明の第２の実施の形態に係るテレビドアホン装置２０００の構成要素と同一の符号を付して、その説明を省略する。
【０１０２】
映像信号受信手段３２１０は、ドアホン子機１１００によって送出された子機映像信号および監視カメラ機３３００によって送出された監視映像信号を受信するようになっており、受信した２つの映像信号の何れか一方の映像信号を映像信号出力手段１２１５に出力するようになっている。
【０１０３】
音声信号受信手段３２２０は、ドアホン子機１１００によって送出された子機音声信号および監視カメラ機３３００によって送出された監視音声信号を受信するようになっており、受信した２つの音声信号の何れか一方の音声信号を音声信号出力手段１２２５に出力するようになっている。
【０１０４】
ここで、本発明の第３の実施の形態のテレビドアホン装置３０００においては、映像信号受信手段３２１０は、監視映像信号を映像信号出力手段１２１５に出力するようになっているものとし、音声信号受信手段３２２０は、監視音声信号を音声信号出力手段１２２５に出力するようになっているものとする。
【０１０５】
制御手段３２６０は、本発明の第１の実施の形態のテレビドアホン装置１０００に係る制御手段１２６０と同様の機能を有するよう構成されてもよいし、本発明の第２の実施の形態のテレビドアホン装置２０００に係る制御手段２２６０と同様の機能を有するよう構成されてもよい。
【０１０６】
監視撮像手段３３１０は、前述したように撮像して監視映像信号を生成し、生成された監視映像信号を監視映像信号送出手段３３１５に出力するようになっている。
監視映像信号送出手段３３１５には、監視撮像手段３３１０によって出力された監視映像信号が入力されるようになっており、監視映像信号送出手段３３１５は、前述したように入力された監視映像信号をドアホン親機３２００に送出するようになっている。
【０１０７】
監視音声信号生成手段３３２０は、前述したように集音して監視音声信号を生成し、生成された監視音声信号を監視音声信号送出手段３３２５に出力するようになっている。
監視音声信号送出手段３３２５には、監視音声信号生成手段３３２０によって出力された監視音声信号が入力されるようになっており、監視音声信号送出手段３３２５は、前述したように入力された監視音声信号をドアホン親機３２００に送出するようになっている。
【０１０８】
次に、本発明の第３の実施の形態のテレビドアホン装置３０００に係る動作について説明する。なお、以下の説明において、制御手段３２６０は、呼出信号が受信されたときに赤外リモコン送信手段１２５０に開始信号を送信させ、赤外リモコン送信手段１２５０に開始信号を送信させてから予め設定された時間が経過したときに、赤外リモコン送信手段１２５０に停止信号を送信させるようになっているものとする。
【０１０９】
まず、呼出ボタン１１３０が押下されたことが呼出信号送出手段１１３５によって検出され、呼出信号が呼出信号送出手段１１３５によってドアホン親機３２００に送出される。ここで、制御手段３２６０によって呼出信号が受信され、制御手段３２６０によって赤外リモコン送信手段１２５０が開始信号を送出するよう制御される。そして、赤外リモコン送信手段１２５０によって開始信号が記録装置１００に送信され、記録装置１００による記録が開始される。
【０１１０】
このとき、監視撮像手段３３１０によって撮像されて監視映像信号が生成され、生成された監視映像信号が監視映像信号送出手段３３１５によってドアホン親機３２００に送出される。また、監視音声信号生成手段３３２０によって集音されて監視音声信号が生成され、生成された監視音声信号が監視音声信号送出手段３３２５によってドアホン親機３２００に送出される。
【０１１１】
さらに、監視カメラ機３３００によって送出された監視映像信号および監視音声信号が映像信号受信手段３２１０および音声信号受信手段３２２０によってそれぞれ受信され、受信された監視映像信号および監視音声信号が映像信号出力手段１２１５および音声信号出力手段１２２５によってそれぞれ記録装置１００に出力される。
【０１１２】
その後、記録装置１００による監視映像信号および監視音声信号の記録が継続され、赤外リモコン送信手段１２５０によって開始信号が記録装置１００に送信されてから予め設定された時間が経過したときに、制御手段３２６０によって赤外リモコン送信手段１２５０が停止信号を送出するよう制御される。そして、赤外リモコン送信手段１２５０によって停止信号が記録装置１００に送信され、記録装置１００による記録が停止される。
【０１１３】
以上説明したように、本発明の第３の実施の形態のテレビドアホン装置は、監視カメラ機によって撮像され生成された映像信号がドアホン親機を介して外部に設置された家庭用の記録装置に出力され、ドアホン親機によって外部に設置された記録装置の記録を開始させる赤外リモコン信号および記録を停止させる赤外リモコン信号が送出される。このため、テレビドアホン装置において撮像された映像信号を家庭用の記録装置で記録することができ、高価な大容量の記録手段をドアホン親機に設置する必要がなく、安価な費用で大容量の映像を記録することができる。さらに、ドアホン子機よりさらに広い範囲の映像を記録することができるとともに訪問者に気づかれない位置にカメラを設置することができる。
また、監視カメラ機によって集音して生成された音声信号をドアホン親機を介して記録装置に出力し、音声信号を記録することができる。
【０１１４】
なお、本発明の第３の実施の形態では、記録装置１００に映像信号および音声信号を記録させるようになっていたが、記録装置１００に映像信号だけを記録させるようになっていてもよい。この場合には、ドアホン子機１１００は、子機音声信号生成手段１１２０および子機音声信号送出手段１１２５を有していなくてもよく、監視カメラ機３３００は、監視音声信号生成手段３３２０および監視音声信号送出手段３３２５を有していなくてもよく、ドアホン親機３２００は、音声信号受信手段３２２０および音声信号出力手段１２２５を有していなくてもよい。
【０１１５】
（第４の実施の形態）
図４に示すように、本発明の第４の実施の形態のテレビドアホン装置４０００は、玄関などの所定の場所に設置されるドアホン子機１１００と、ドアホン子機１１００に接続されたドアホン親機４２００と、所定の場所に設置された監視カメラ機３３００と、所定の場所に設置されたセンサカメラ機４４００とを備えている。なお、本発明の第４の実施の形態において、テレビドアホン装置４０００は、１つのドアホン子機１１００によって構成されるが、複数のドアホン子機１１００によって構成されてもよい。また、本発明の第４の実施の形態において、テレビドアホン装置４０００は、１つの監視カメラ機３３００によって構成されるが、複数の監視カメラ機３３００によって構成されてもよい。また、本発明の第４の実施の形態において、テレビドアホン装置４０００は、１つのセンサカメラ機４４００によって構成されるが、複数のセンサカメラ機４４００によって構成されてもよい。
【０１１６】
なお、ドアホン子機１１００、ドアホン親機４２００、監視カメラ機３３００およびセンサカメラ機４４００は、１つの伝送路で通信可能に接続されている。また、ドアホン子機１１００は、ドアホン親機４２００との間で通話を行う子機通話手段を当然に有しているものとする。また、ドアホン親機４２００は、ドアホン子機１１００との間で通話を行う親機通話手段を当然に有しているものとする。また、ドアホン親機４２００は、後述する子機映像信号に基づいた画像を表示するモニタを当然に有しているものとする。
【０１１７】
ドアホン子機１１００は、撮像して子機映像信号を生成する子機撮像手段１１１０と、子機映像信号をドアホン親機１２００に送出する子機映像信号送出手段１１１５と、集音して子機音声信号を生成する子機音声信号生成手段１１２０と、子機音声信号をドアホン親機１２００に送出する子機音声信号送出手段１１２５と、訪問者に押下させる呼出ボタン１１３０と、呼出ボタン１１３０が押下されたことを検出して呼出信号をドアホン親機１２００に送出する呼出信号送出手段１１３５とを有している。
【０１１８】
ドアホン親機４２００は、ドアホン子機１１００によって送出された子機映像信号を受信する映像信号受信手段４２１０と、映像信号受信手段４２１０によって受信された映像信号を外部に設置された記録装置１００に出力する映像信号出力手段１２１５と、ドアホン子機１１００によって送出された子機音声信号を受信する音声信号受信手段４２２０と、音声信号受信手段４２２０によって受信された音声信号を外部に設置された記録装置１００に出力する音声信号出力手段１２２５とを有している。
【０１１９】
また、ドアホン親機４２００は、記録装置１００による記録を開始させる赤外リモコン信号および記録装置１００による記録を停止させる赤外リモコン信号を記録装置１００に送信する赤外リモコン送信手段１２５０と、赤外リモコン送信手段１２５０による赤外リモコン信号の送信のタイミングを制御する制御手段４２６０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。
【０１２０】
なお、ドアホン親機４２００は、ドアホン子機１１００とドアホン親機４２００との間の通話を開始させる通話開始手段１２３０ａと、ドアホン子機１１００とドアホン親機４２００との間の通話を停止させる通話停止手段１２３０ｂと、子機映像信号に基づいた画像の表示を開始させる表示開始手段１２４０ａと、子機映像信号に基づいた画像の表示を停止させる表示停止手段１２４０ｂと、ドアホン子機１１００とドアホン親機４２００との間の通話を行うための受話器１２３５と、物体が近づいたことを検知する物体検知センサ２１０に接続可能なインタフェイス２２７０とを有していてもよい。
【０１２１】
監視カメラ機３３００は、撮像して監視映像信号を生成する監視撮像手段３３１０と、監視映像信号をドアホン親機４２００に送出する監視映像信号送出手段３３１５と、集音して監視音声信号を生成する監視音声信号生成手段３３２０と、監視音声信号をドアホン親機４２００に送出する監視音声信号送出手段３３２５とを有している。
【０１２２】
センサカメラ機４４００は、撮像してセンサカメラ映像信号を生成するセンサカメラ撮像手段４４１０と、センサカメラ映像信号をドアホン親機４２００に送出するセンサカメラ映像信号送出手段４４１５と、集音してセンサカメラ音声信号を生成するセンサカメラ音声信号生成手段４４２０と、センサカメラ音声信号をドアホン親機４２００に送出するセンサカメラ音声信号送出手段４４２５と、物体が近づいたことを検知する物体検知手段４４４０と、物体検知手段４４４０によって物体が近づいたことが検知されたときにドアホン親機４２００に物体検知信号を送出する物体検知信号送出手段４４４５とを有している。
【０１２３】
ここで、記録装置１００は、映像信号を録画再生可能な装置、または映像信号および音声信号の両方の信号を録画再生可能な装置であればよく、例えば、家庭用のＶＴＲ装置、光ディスク録画再生装置または磁気ディスク録画再生装置などでもよい。また、物体検知センサ２１０は、例えば、人物などの物体が近づいたことを検知したときに物体検知信号を送出するようになっているセンサであれば、その構成は限定されない。
【０１２４】
なお、本発明の第４の実施の形態に係るテレビドアホン装置４０００においては、本発明の第１の実施の形態に係るテレビドアホン装置１０００の構成要素と同一の構成要素に本発明の第１の実施の形態に係るテレビドアホン装置１０００の構成要素と同一の符号を付して、その説明を省略する。
【０１２５】
また、本発明の第４の実施の形態に係るテレビドアホン装置４０００においては、本発明の第２の実施の形態に係るテレビドアホン装置２０００の構成要素と同一の構成要素に本発明の第２の実施の形態に係るテレビドアホン装置２０００の構成要素と同一の符号を付して、その説明を省略する。
【０１２６】
また、本発明の第４の実施の形態に係るテレビドアホン装置４０００においては、本発明の第３の実施の形態に係るテレビドアホン装置３０００の構成要素と同一の構成要素に本発明の第３の実施の形態に係るテレビドアホン装置３０００の構成要素と同一の符号を付して、その説明を省略する。
【０１２７】
映像信号受信手段４２１０は、ドアホン子機１１００によって送出された子機映像信号、監視カメラ機３３００によって送出された監視映像信号およびセンサカメラ機４４００によって送出されたセンサカメラ映像信号を受信するようになっており、受信した３つの映像信号のうちの何れか１の映像信号を映像信号出力手段１２１５に出力するようになっている。
【０１２８】
また、音声信号受信手段４２２０は、ドアホン子機１１００によって送出された子機音声信号、監視カメラ機３３００によって送出された監視音声信号およびセンサカメラ機４４００によって送出されたセンサカメラ音声信号を受信するようになっており、受信した３つの音声信号のうちの何れか１つの音声信号を音声信号出力手段１２２５に出力するようになっている。
【０１２９】
ここで、本発明の第４の実施の形態のテレビドアホン装置４０００においては、映像信号受信手段４２１０は、センサカメラ映像信号を映像信号出力手段１２１５に出力するようになっているものとし、音声信号受信手段４２２０は、センサカメラ音声信号を音声信号出力手段１２２５に出力するようになっているものとする。
【０１３０】
制御手段４２６０には、センサカメラ機４４００によって送出された物体検知信号が入力されるようになっている。制御手段４２６０は、センサカメラ機４４００によって送出された物体検知信号が入力されたときに開始信号を送信するよう赤外リモコン送信手段１２５０を制御するようになっている。また、制御手段４２６０は、センサカメラ機４４００によって送出された物体検知信号が入力されなくなったときに停止信号を送信するよう赤外リモコン送信手段１２５０を制御するようになっている。
【０１３１】
なお、制御手段４２６０は、本発明の第１の実施の形態のテレビドアホン装置１０００における制御手段１２６０と同様に、赤外リモコン送信手段１２５０に開始信号を送信させてから予め設定された時間が経過したときに停止信号を送信するよう赤外リモコン送信手段１２５０を制御するようになっていてもよい。
【０１３２】
センサカメラ撮像手段４４１０は、前述したように撮像してセンサカメラ映像信号を生成し、生成されたセンサカメラ映像信号をセンサカメラ映像信号送出手段４４１５に出力するようになっている。
センサカメラ映像信号送出手段４４１５には、センサカメラ撮像手段４４１０によって出力されたセンサカメラ映像信号が入力されるようになっており、センサカメラ映像信号送出手段４４１５は、前述したように入力されたセンサカメラ映像信号をドアホン親機４２００に送出するようになっている。
【０１３３】
センサカメラ音声信号生成手段４４２０は、前述したように集音してセンサカメラ音声信号を生成し、生成されたセンサカメラ音声信号をセンサカメラ音声信号送出手段４４２５に出力するようになっている。
センサカメラ音声信号送出手段４４２５には、センサカメラ音声信号生成手段４４２０によって出力されたセンサカメラ音声信号が入力されるようになっており、センサカメラ音声信号送出手段４４２５は、前述したように入力されたセンサカメラ音声信号をドアホン親機４２００に送出するようになっている。
【０１３４】
物体検知手段４４４０は、人物などの物体が近づいたことを検知するようになっている。
物体検知信号送出手段４４４５は、物体検知手段４４４０によって物体が近づいたことが検知されたときに物体検知信号を生成し、生成された物体検知信号をドアホン親機４２００に送出するようになっている。
【０１３５】
次に、本発明の第４の実施の形態のテレビドアホン装置４０００に係る動作について説明する。
まず、物体検知手段４４４０によって物体が近づいたことが検知されて物体検知信号送出手段４４４５によって送出された物体検知信号が制御手段４２６０に入力され、制御手段４２６０によって赤外リモコン送信手段１２５０が開始信号を送出するよう制御される。そして、赤外リモコン送信手段１２５０によって開始信号が記録装置１００に送信され、記録装置１００による記録が開始される。
【０１３６】
このとき、センサカメラ撮像手段４４１０によって撮像されてセンサカメラ映像信号が生成され、生成されたセンサカメラ映像信号がセンサカメラ映像信号送出手段４４１５によってドアホン親機４２００に送出される。また、センサカメラ音声信号生成手段４４２０によって集音されてセンサカメラ音声信号が生成され、生成されたセンサカメラ音声信号がセンサカメラ音声信号送出手段４４２５によってドアホン親機４２００に送出される。
【０１３７】
さらに、センサカメラ機４４００によって送出されたセンサカメラ映像信号およびセンサカメラ音声信号が映像信号受信手段４２１０および音声信号受信手段４２２０によってそれぞれ受信され、受信されたセンサカメラ映像信号およびセンサカメラ音声信号が映像信号出力手段１２１５および音声信号出力手段１２２５によってそれぞれ記録装置１００に出力される。
【０１３８】
その後、記録装置１００によるセンサカメラ映像信号およびセンサカメラ音声信号の記録が継続され、センサカメラ機４４００によって送出される物体検知信号が制御手段４２６０に入力されなくなったときに、制御手段４２６０によって赤外リモコン送信手段１２５０が停止信号を送出するよう制御される。そして、赤外リモコン送信手段１２５０によって停止信号が記録装置１００に送信され、記録装置１００による記録が停止される。
【０１３９】
以上説明したように、本発明の第４の実施の形態のテレビドアホン装置は、外部に物体検知センサを設置しない場合にあっても、例えば人物がセンサカメラ機に近づいたときに、記録装置の記録を開始させる赤外リモコン信号が記録装置に送信される。このため、簡単な設置構成で防犯性の高いテレビドアホン装置を提供できる。
また、本発明の第４の実施の形態のテレビドアホン装置は、例えば人物がセンサカメラ機に近づいたときに記録装置の記録を開始させる赤外リモコン信号が記録装置に送信され、センサカメラ機に近づいた人物が立ち去ったときに記録装置の記録を停止させる赤外リモコン信号が記録装置に送信される。このため、簡単な設置構成で防犯性の高いテレビドアホン装置を提供できるとともに、センサカメラ機による訪問者の記録を訪問者が立ち去るまで継続記録できるため、さらに高い防犯効果を得ることができる。
また、センサカメラ機によって集音して生成された音声信号をドアホン親機を介して記録装置に出力し、音声信号を記録することができる。
【０１４０】
なお、本発明の第４の実施の形態では、記録装置１００に映像信号および音声信号を記録させるようになっていたが、記録装置１００に映像信号だけを記録させるようになっていてもよい。この場合には、ドアホン子機１１００は、子機音声信号生成手段１１２０および子機音声信号送出手段１１２５を有していなくてもよく、監視カメラ機３３００は、監視音声信号生成手段３３２０および監視音声信号送出手段３３２５を有していなくてもよい。また、この場合には、センサカメラ機４４００は、センサカメラ音声信号生成手段４４２０およびセンサカメラ音声信号送出手段４４２５を有していなくてもよく、ドアホン親機４２００は、音声信号受信手段４２２０および音声信号出力手段１２２５を有していなくてもよい。
【０１４１】
また、本発明の第４の実施の形態のテレビドアホン装置４０００に係る制御手段４２６０は、制御手段４２６０の機能に加えて、本発明の第１の実施の形態のテレビドアホン装置１０００に係る制御手段１２６０および本発明の第２の実施の形態のテレビドアホン装置２０００に係る制御手段２２６０と同様の機能を有するよう構成されてもよい。また、本発明の第４の実施の形態のテレビドアホン装置４０００は、監視カメラ機３３００を備えていなくても実施可能である。
【０１４２】
（第５の実施の形態）
図５に示すように、本発明の第５の実施の形態のテレビドアホン装置５０００は、玄関などの所定の場所に設置されるドアホン子機１１００と、ドアホン子機１１００に接続されたドアホン親機５２００と、所定の場所に設置された監視カメラ機３３００と、所定の場所に設置されたセンサカメラ機４４００とを備えている。なお、本発明の第５の実施の形態において、テレビドアホン装置５０００は、１つのドアホン子機１１００によって構成されるが、複数のドアホン子機１１００によって構成されてもよい。また、本発明の第５の実施の形態において、テレビドアホン装置５０００は、１つの監視カメラ機３３００によって構成されるが、複数の監視カメラ機３３００によって構成されてもよい。また、本発明の第５の実施の形態において、テレビドアホン装置５０００は、１つのセンサカメラ機４４００によって構成されるが、複数のセンサカメラ機４４００によって構成されてもよい。
【０１４３】
なお、ドアホン子機１１００、ドアホン親機５２００、監視カメラ機３３００およびセンサカメラ機４４００は、１つの伝送路で通信可能に接続されている。また、ドアホン子機１１００は、ドアホン親機５２００との間で通話を行う子機通話手段を当然に有しているものとする。また、ドアホン親機５２００は、ドアホン子機１１００との間で通話を行う親機通話手段を当然に有しているものとする。また、ドアホン親機５２００は、後述する子機映像信号に基づいた画像を表示するモニタを当然に有しているものとする。
【０１４４】
ドアホン子機１１００は、撮像して子機映像信号を生成する子機撮像手段１１１０と、子機映像信号をドアホン親機１２００に送出する子機映像信号送出手段１１１５と、集音して子機音声信号を生成する子機音声信号生成手段１１２０と、子機音声信号をドアホン親機１２００に送出する子機音声信号送出手段１１２５と、訪問者に押下させる呼出ボタン１１３０と、呼出ボタン１１３０が押下されたことを検出して呼出信号をドアホン親機１２００に送出する呼出信号送出手段１１３５とを有している。
【０１４５】
ドアホン親機５２００は、ドアホン子機１１００によって送出された子機映像信号を受信する映像信号受信手段４２１０と、映像信号受信手段４２１０によって受信された映像信号を外部に設置された記録装置１００に出力する映像信号出力手段１２１５と、ドアホン子機１１００によって送出された子機音声信号を受信する音声信号受信手段４２２０と、音声信号受信手段４２２０によって受信された音声信号を外部に設置された記録装置１００に出力する音声信号出力手段１２２５とを有している。
【０１４６】
また、ドアホン親機５２００は、記録装置１００による記録を開始させる赤外リモコン信号および記録装置１００による記録を停止させる赤外リモコン信号を記録装置１００に送信する赤外リモコン送信手段１２５０と、赤外リモコン送信手段１２５０による赤外リモコン信号の送信のタイミングを制御する制御手段５２６０と、記録を開始させる赤外リモコン信号を表す情報および記録を停止させる赤外リモコン信号を表す情報を学習して記憶する赤外リモコン学習記憶手段５２８０とを有している。ここで、記録装置１００による記録とは、映像信号出力手段１２１５によって出力された映像信号および音声信号出力手段１２２５によって出力された音声信号に基づいた記録をいう。なお、以下の説明において、記録装置１００による記録を開始させる赤外リモコン信号を開始信号と呼び、記録装置１００による記録を停止させる赤外リモコン信号を停止信号と呼ぶ。
【０１４７】
なお、ドアホン親機５２００は、ドアホン子機１１００とドアホン親機５２００との間の通話を開始させる通話開始手段１２３０ａと、ドアホン子機１１００とドアホン親機５２００との間の通話を停止させる通話停止手段１２３０ｂと、子機映像信号に基づいた画像の表示を開始させる表示開始手段１２４０ａと、子機映像信号に基づいた画像の表示を停止させる表示停止手段１２４０ｂと、ドアホン子機１１００とドアホン親機５２００との間の通話を行うための受話器１２３５と、物体が近づいたことを検知する物体検知センサ２１０に接続可能なインタフェイス２２７０とを有していてもよい。
【０１４８】
監視カメラ機３３００は、撮像して監視映像信号を生成する監視撮像手段３３１０と、監視映像信号をドアホン親機５２００に送出する監視映像信号送出手段３３１５と、集音して監視音声信号を生成する監視音声信号生成手段３３２０と、監視音声信号をドアホン親機５２００に送出する監視音声信号送出手段３３２５とを有している。
【０１４９】
センサカメラ機４４００は、撮像してセンサカメラ映像信号を生成するセンサカメラ撮像手段４４１０と、センサカメラ映像信号をドアホン親機５２００に送出するセンサカメラ映像信号送出手段４４１５と、集音してセンサカメラ音声信号を生成するセンサカメラ音声信号生成手段４４２０と、センサカメラ音声信号をドアホン親機５２００に送出するセンサカメラ音声信号送出手段４４２５と、物体が近づいたことを検知する物体検知手段４４４０と、物体検知手段４４４０によって物体が近づいたことが検知されたときにドアホン親機５２００に物体検知信号を送出する物体検知信号送出手段４４４５とを有している。
【０１５０】
なお、記録装置１００は、映像信号を録画再生可能な装置、または映像信号および音声信号の両方の信号を録画再生可能な装置であればよく、例えば、家庭用のＶＴＲ装置、光ディスク録画再生装置または磁気ディスク録画再生装置などでもよい。また、物体検知センサ２１０は、例えば、人物などの物体が近づいたことを検知したときに物体検知信号を送出するようになっているセンサであれば、その構成は限定されない。
【０１５１】
なお、本発明の第５の実施の形態に係るテレビドアホン装置５０００においては、本発明の第１の実施の形態に係るテレビドアホン装置１０００の構成要素と同一の構成要素に本発明の第１の実施の形態に係るテレビドアホン装置１０００の構成要素と同一の符号を付して、その説明を省略する。
【０１５２】
また、本発明の第５の実施の形態に係るテレビドアホン装置５０００においては、本発明の第２の実施の形態に係るテレビドアホン装置２０００の構成要素と同一の構成要素に本発明の第２の実施の形態に係るテレビドアホン装置２０００の構成要素と同一の符号を付して、その説明を省略する。
【０１５３】
また、本発明の第５の実施の形態に係るテレビドアホン装置５０００においては、本発明の第３の実施の形態に係るテレビドアホン装置３０００の構成要素と同一の構成要素に本発明の第３の実施の形態に係るテレビドアホン装置３０００の構成要素と同一の符号を付して、その説明を省略する。
【０１５４】
また、本発明の第５の実施の形態に係るテレビドアホン装置５０００においては、本発明の第４の実施の形態に係るテレビドアホン装置４０００の構成要素と同一の構成要素に本発明の第４の実施の形態に係るテレビドアホン装置４０００の構成要素と同一の符号を付して、その説明を省略する。
【０１５５】
制御手段５２６０は、本発明の第１の実施の形態のテレビドアホン装置１０００に係る制御手段１２６０、本発明の第２の実施の形態のテレビドアホン装置２０００に係る制御手段２２６０、本発明の第３の実施の形態のテレビドアホン装置３０００に係る制御手段３２６０、および本発明の第４の実施の形態のテレビドアホン装置４０００に係る制御手段４２６０の何れかと同様の機能を有している。さらに、制御手段５２６０は、開始信号を送信するよう赤外リモコン送信手段１２５０を制御する際に、赤外リモコン学習記憶手段５２８０に記憶された記録を開始させる赤外リモコン信号を表す情報、すなわち、開始信号情報に基づいた赤外リモコン信号を送信するよう赤外リモコン送信手段１２５０を制御するようになっている。また、制御手段５２６０は、停止信号を送信するよう赤外リモコン送信手段１２５０を制御する際に、赤外リモコン学習記憶手段５２８０に記憶された記録を停止させる赤外リモコン信号を表す情報、すなわち、停止信号情報に基づいた赤外リモコン信号を送信するよう赤外リモコン送信手段１２５０を制御するようになっている。
なお、赤外リモコン信号を表す情報とは、例えば、赤外リモコン信号の波形を表す情報である。
【０１５６】
赤外リモコン学習記憶手段５２８０は、記録装置１００に付属された遠隔操作装置によって送信される赤外リモコン信号を受信する図示しない赤外リモコン信号受信部を有している。赤外リモコン学習記憶手段５２８０は、遠隔操作装置によって送信される開始信号を赤外リモコン信号受信部を介して受信し、受信した開始信号に基づいて開始信号情報を生成し、生成された開始信号情報を記憶するようになっている。また、赤外リモコン学習記憶手段５２８０は、遠隔操作装置によって送信される停止信号を赤外リモコン信号受信部を介して受信し、受信した停止信号に基づいて停止信号情報を生成し、生成された停止信号情報を記憶するようになっている。
【０１５７】
次に、本発明の第５の実施の形態のテレビドアホン装置５０００に係る赤外リモコン学習記憶手段５２８０に開始信号情報および停止信号情報が記憶される動作について説明する。
開始信号情報を赤外リモコン学習記憶手段５２８０に記憶させる際に、まず、ユーザに記録装置１００に付属された遠隔操作装置から開始信号を送信させる。このとき、赤外リモコン学習記憶手段５２８０の赤外リモコン信号受信部によって遠隔操作装置から送信された開始信号が受信され、赤外リモコン学習記憶手段５２８０によって開始信号情報が生成される。そして、生成された開始信号情報が赤外リモコン学習記憶手段５２８０に記憶される。
【０１５８】
一方、停止信号情報を赤外リモコン学習記憶手段５２８０に記憶させる際には、まず、ユーザに記録装置１００に付属された遠隔操作装置から停止信号を送信させる。このとき、赤外リモコン学習記憶手段５２８０の赤外リモコン信号受信部によって遠隔操作装置から送信された停止信号が受信され、赤外リモコン学習記憶手段５２８０によって停止信号情報が生成される。そして、生成された停止信号情報が赤外リモコン学習記憶手段５２８０に記憶される。
【０１５９】
なお、開始信号を送信するよう赤外リモコン送信手段１２５０が制御手段５２６０によって制御される際には、赤外リモコン学習記憶手段５２８０に記憶された開始信号情報に基づいた赤外リモコン信号を送信するよう赤外リモコン送信手段１２５０が制御手段５２６０によって制御される。また、停止信号を送信するよう赤外リモコン送信手段１２５０が制御手段５２６０によって制御される際には、赤外リモコン学習記憶手段５２８０に記憶された停止信号情報に基づいた赤外リモコン信号を送信するよう赤外リモコン送信手段１２５０が制御手段５２６０によって制御される。
【０１６０】
以上説明したように、本発明の第５の実施の形態のテレビドアホン装置は、ドアホン親機において記録を開始させる赤外リモコン信号を表す情報および前記記録を停止させる赤外リモコン信号を表す情報を記録装置の機種に応じて学習して記憶し、記憶された情報に基づいた赤外リモコン信号を送信することができる。このため、記録装置のメーカーまたは機種を幅広く選定することができる。
【０１６１】
なお、本発明の第５の実施の形態では、記録装置１００に映像信号および音声信号を記録させるようになっていたが、記録装置１００に映像信号だけを記録させるようになっていてもよい。この場合には、ドアホン子機１１００は、子機音声信号生成手段１１２０および子機音声信号送出手段１１２５を有していなくてもよく、監視カメラ機３３００は、監視音声信号生成手段３３２０および監視音声信号送出手段３３２５を有していなくてもよい。また、この場合には、センサカメラ機４４００は、センサカメラ音声信号生成手段４４２０およびセンサカメラ音声信号送出手段４４２５を有していなくてもよく、ドアホン親機４２００は、音声信号受信手段４２２０および音声信号出力手段１２２５を有していなくてもよい。
【０１６２】
また、本発明の第５の実施の形態のテレビドアホン装置５０００は、監視カメラ機３３００を備えていなくても実施可能である。また、本発明の第５の実施の形態のテレビドアホン装置５０００は、センサカメラ機４４００を備えていなくても実施可能である。
【０１６３】
なお、本発明の各実施の形態において、子機映像信号送出手段１１１５、監視映像信号送出手段３３１５およびセンサカメラ映像信号送出手段４４１５による映像信号の送出は、例えば、ＦＭ信号、ＡＭ信号またはベースバンド信号によって行われる。また、子機映像信号送出手段１１１５、監視映像信号送出手段３３１５およびセンサカメラ映像信号送出手段４４１５は、映像信号の送出形態に応じて、増幅回路および変調回路を有しているものとする。また、子機音声信号送出手段１１２５、監視音声信号送出手段３３２５およびセンサカメラ音声信号送出手段４４２５による音声信号の送出は、例えば、ＦＭ信号、ＡＭ信号またはベースバンド信号によって行われる。また、子機音声信号送出手段１１２５、監視音声信号送出手段３３２５およびセンサカメラ音声信号送出手段４４２５は、音声信号の送出形態に応じて、増幅回路および変調回路を有しているものとする。また、呼出信号送出手段１１３５による呼出信号の送出は、例えば、メイク接点、ＦＭ信号またはＡＭ信号などによって行われる。
【０１６４】
また、本発明の各実施の形態において、映像信号出力手段１２１５は、映像信号を記録装置１００に出力するための出力端子を当然に有しているものとする。また、映像信号出力手段１２１５による映像信号の出力形態は、記録装置１００に入力可能なものであればよく、例えば、Ｓ（Ｓｕｐｅｒ）ビデオ信号、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号、ＰＡＬ（Ｐｈａｓｅ  Ａｌｔｅｒｎａｔｉｏｎ  ｂｙ  Ｌｉｎｅ）信号、ＲＦ（Ｒａｄｉｏ  Ｆｒｅｑｕｅｎｃｙ）信号、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格に準拠した信号、ＵＳＢ（Ｕｎｉｖｅｒｓａｌ  Ｓｅｒｉａｌ  Ｂｕｓ）信号などでもよい。また、映像信号出力手段１２１５は、映像信号を記録装置１００に無線出力するようになっていてもよい。また、音声信号出力手段１２２５は、音声信号を記録装置１００に出力するための出力端子を当然に有しているものとする。また、音声信号出力手段１２２５による音声信号の出力形態は、記録装置１００に入力可能なものであればよく、例えば、ＲＦ信号、デジタル信号などでもよい。また、音声信号出力手段１２２５は、音声信号を記録装置１００に無線出力するようになっていてもよい。
【０１６５】
また、本発明の各実施の形態において、前述した通話手段がハンズフリー通話を行うように構成されている場合には、通話開始手段１２３０ａおよび通話停止手段１２３０ｂは、それぞれユーザに押下させるボタンを有して、ボタンが押下されたときにそれぞれの機能を実行するように構成されていてもよい。また、通話開始手段１２３０ａおよび通話停止手段１２３０ｂは、ボタンではなく、例えば、音声入力によって起動するように構成されてもよい。なお、通話開始手段１２３０ａおよび通話停止手段１２３０ｂは、それぞれの機能を有した１つの手段で構成されてもよい。また、ドアホン親機１２００が受話器１２３５を有している場合にあっては、通話開始手段１２３０ａは、受話器１２３５がオフフックされたことを検出し、前述したようにドアホン子機１１００とドアホン親機１２００との間の通話を開始させるようになっていてもよい。また、通話停止手段１２３０ｂは、受話器１２３５がオンフックされたことを検出し、前述したようにドアホン子機１１００とドアホン親機１２００との間の通話を停止させるようになっていてもよい。この場合、通話開始手段１２３０ａおよび通話停止手段１２３０ｂは、１つのフックスイッチによって構成されてもよい。
【０１６６】
また、本発明の各実施の形態において、表示開始手段１２４０ａおよび表示停止手段１２４０ｂは、それぞれユーザに押下させるボタンを有して、ボタンが押下されたときにそれぞれの機能を実行するように構成されていてもよい。また、表示開始手段１２４０ａおよび表示停止手段１２４０ｂは、ボタンではなく、例えば、音声入力によって起動するように構成されてもよい。なお、表示開始手段１２４０ａおよび表示停止手段１２４０ｂは、１つの手段で構成されてもよい。なお、ドアホン親機１２００は、ドアホン子機１１００との間の通話を行わずに、表示開始手段１２４０ａを介して画像の表示を開始し、表示停止手段１２４０ｂを介して画像の表示を停止するようになっていてもよい。この場合、ドアホン親機１２００おいて、子機映像信号に基づいた画像が表示され、子機音声信号に基づいた音声が拡声されるようになっている。また、ドアホン子機１１００においては、ドアホン親機１２００側の音声が漏れないようになっていることが望ましい。
【０１６７】
【発明の効果】
以上説明したように、本発明は、安価な費用で大容量の映像を記録することができるテレビドアホン装置を提供することができるものである。
【図面の簡単な説明】
【図１】本発明の第１の実施の形態のテレビドアホン装置に係る構成のブロック図
【図２】本発明の第２の実施の形態のテレビドアホン装置に係る構成のブロック図
【図３】本発明の第３の実施の形態のテレビドアホン装置に係る構成のブロック図
【図４】本発明の第４の実施の形態のテレビドアホン装置に係る構成のブロック図
【図５】本発明の第５の実施の形態のテレビドアホン装置に係る構成のブロック図
【図６】従来のテレビドアホン装置に係る構成のブロック図
【符号の説明】
１００  記録装置
２１０  物体検知センサ
１０００、２０００、３０００、４０００、５０００、９０００  テレビドアホン装置
１１００、９１００  ドアホン子機
１１１０  子機撮像手段
１１１５  子機映像信号送出手段
１１２０  子機音声信号生成手段
１１２５  子機音声信号送出手段
１１３０、９１３０  呼出ボタン
１１３５、９１３５  呼出信号送出手段
１２００、２２００、３２００、４２００、５２００、９２００  ドアホン親機
１２１０、３２１０、４２１０  映像信号受信手段
１２１５  映像信号出力手段
１２２０、３２２０、４２２０  音声信号受信手段
１２２５  音声信号出力手段
１２３０ａ  通話開始手段
１２３０ｂ  通話停止手段
１２３５  受話器
１２４０ａ  表示開始手段
１２４０ｂ  表示停止手段
１２５０  赤外リモコン送信手段
１２６０、２２６０、３２６０、４２６０、５２６０  制御手段
２２７０  インタフェイス
３３００  監視カメラ機
３３１０  監視撮像手段
３３１５  監視映像信号送出手段
３３２０  監視音声信号生成手段
３３２５  監視音声信号送出手段
４４００  センサカメラ機
４４１０  センサカメラ撮像手段
４４１５  センサカメラ映像信号送出手段
４４２０  センサカメラ音声信号生成手段
４４２５  センサカメラ音声信号送出手段
４４４０  物体検知手段
４４４５  物体検知信号送出手段
５２８０  赤外リモコン学習記憶手段
９１１０  撮像手段
９１２０  映像信号送出手段
９２１０  映像信号出力手段
９２２０  接点信号出力手段
９３００  タイムラプスビデオ装置
【図１】
2004274205.tif 000003
【図２】
2004274205.tif 000004
【図３】
2004274205.tif 000005
【図４】
2004274205.tif 000006
【図５】
2004274205.tif 000007
【図６】
2004274205.tif 000008